(57)【特許請求の範囲】
【請求項１】
持ち運びを容易にするショルダ用ベルト部及び機器の操作を容易にするグリップ用ベルト部を有する撮影機器を収納した防水パックのベルト構造であって、
一本のベルトと、
撮影機器を収納した防水パック本体の一側面上端に水平に突出して形成され、前記ベルトの長手方向の移動調節可能にベルト部分を固定するベルト固定部と、
前記機器本体の一側面下端に形成され、前記ベルト固定部を通して引き出された前記ベルトの一端部側が掛止される第１ベルト掛止部と、
前記第１ベルト掛止部に掛止した前記ベルト部分を折り返してベルト固定部を通して引き出されたベルト部分に移動調節可能に固定する第１止め具と、
前記機器本体の他側面上端に形成され、前記ベルトの他端部側が掛止される第２ベルト掛止部と、
前記第２ベルト掛止部に係合した前記ベルト他端部側の先端部分を折り返してベルト固定部を通して引き出されたベルト部分に移動調節可能に固定する第２止め具とを備え、
前記ベルト固定部と前記第１ベルト掛止部との間のベルト部分によりグリップ用ベルト部が構成され、前記ベルト固定部と前記第２ベルト掛止部との間のベルト部分によりショルダ用ベルト部が構成されると共に、
前記ベルト固定部は、突出方向に３つに区画されたベルト挿入穴を有し、前記ベルト挿入穴に前記ベルトの一端部を蛇行させて挿通することにより、前記グリップ用ベルト部と前記ショルダ用ベルト部間でのベルトの移動を阻止する様に構成され、
前記グリップ用ベルト部は、前記一本のベルトが、前記ベルト固定部の３つに区画されたベルト挿入穴の内、最先端にあるベルト挿入穴の下方から挿入され固定されて形成されると共に、前記グリップ用ベルト部と前記側面との間に間隙を設け、該間隙に手を挿入して把持することにより撮影操作を容易に行うことができる様に構成した
ことを特徴とする撮影機器を収納した防水パックのベルト構造。
【請求項２】
前記グリップ用ベルト部は、該グリップ用ベルト部をほぼ全長に亘り覆う着脱可能なグリップパットを備える請求項１記載の撮影機器を収納した防水パックのベルト構造。
【発明の詳細な説明】
【０００１】
【産業上の利用分野】
本発明は、カムコーダ等の撮影機器を収納した防水パックのベルト構造に係り、特に機器の持ち運びを容易にするショルダ用ベルト部及び機器の操作を容易にするグリップ用ベルト部を備える撮影機器を収納した防水パックのベルト構造に関する。
【０００２】
【従来の技術】
カムコーダ等の撮影機器を収納した防水パックなどのポータブル機器において、これらポータブル機器に、その持ち運びを簡便にするためにショルダベルトを取り付けたり、またはポータブル機器の操作を簡便にするためのグリップベルトを取り付けたりすることが知られている。
【０００３】
【発明が解決しようとする課題】
しかしながら、この種従来のポータブル型機器におけるショルダベルト及びグリップベルトは、機器本体に別々に取り付ける構造になっているため、ショルダベルト用及びグリップベルト用の取付部を機器本体に別々に形成しなければならず、機器本体の外観が損なわれるおそれがあるほか、使い勝手が悪く、コスト高になる問題がある。
また、従来のグリップ用ベルトにおいては、グリップ用ベルトの一端を機器本体の側面上部に固定し、他端部を機器本体の側面下部に設けた引掛部に掛け回した後、その折り返し部を、ベルト固定部と引掛部間に掛け渡されたベルト部分にマジックファスナにより結合しているが、このマジックファスナではグリップベルトの長さ調整に限界あり、しかも、マジックファスナ自体は比較的高価であるためコスト高になる問題がある。
【０００４】
本発明の目的は、１本のベルトでショルダ用ベルト部及グリップ用ベルト部を構成でき、シンプルで使い勝手がよく、かつ低コスト化が容易な撮影機器を収納した防水パックのベルト構造を提供することにある。
【０００５】
【課題を解決するための手段】
本発明の撮影機器を収納した防水パックのベルト構造は、持ち運びを容易にするショルダ用ベルト部及び機器の操作を容易にするグリップ用ベルト部を有する撮影機器を収納した防水パックであって、１本のベルトと、撮影機器を収納した防水パック本体の一側面上端に水平に突出して形成され、このベルトの長手方向の移動調節可能にベルト部分を固定するベルト固定部と、この機器本体の一側面下端に形成され、このベルト固定部を通して引き出されたこのベルトの一端部側が掛止される第１ベルト掛止部と、この第１ベルト掛止部に掛止したこのベルト部分を折り返してベルト固定部を通して引き出されたベルト部分に移動調節可能に固定する第１止め具と、この機器本体の他側面上端に形成され、このベルトの他端部側が掛止される第２ベルト掛止部と、この第２ベルト掛止部に係合したこのベルト他端部側の先端部分を折り返してベルト固定部を通して引き出されたベルト部分に移動調節可能に固定する第２止め具とを備え、このベルト固定部とこの第１ベルト掛止部との間のベルト部分によりグリップ用ベルト部が構成され、このベルト固定部とこの第２ベルト掛止部との間のベルト部分によりショルダ用ベルト部が構成されると共に、上記ベルト固定部は、突出方向に３つに区画されたベルト挿入穴を有し、このベルト挿入穴にこのベルトの一端部を蛇行させて挿通することにより、このグリップ用ベルト部とこのショルダ用ベルト部間でのベルトの移動を阻止する様に構成され、グリップ用ベルト部は、一本のベルトが、ベルト固定部の３つに区画されたベルト挿入穴の内、最先端にあるベルト挿入穴の下方から挿入され固定されて形成されると共に、グリップ用ベルト部と側面との間に間隙を設け、この間隙に手を挿入して把持することにより撮影操作を容易に行うことができる様に構成したものである。
【０００７】
また、本発明の撮影機器を収納した防水パックのベルト構造は、このグリップ用ベルト部は、そのグリップ用ベルト部をほぼ全長に亘り覆う着脱可能なグリップパットを備えるものである。
【０００８】
【作用】
本発明においては、一本のベルトで撮影機器を収納した防水パックのグリップ用ベルト部とショルダ用ベルト部を構成することができ、かつシンプルで使い勝手のよいグリップ用ベルト部とショルダ用ベルト部を提供できる。また、本発明においては、複数の挿通穴にベルトを蛇行状態に挿通することにより、グリップ用ベルト部とショルダ用ベルト部間でのベルトの移動をなくし得る。さらに、本発明においては、グリップ用ベルト部にグリップパットを装着することにより、手との接触性を向上することができる。
【０００９】
【実施例】
図１〜図５により本発明に係る撮影機器を収納した防水パックのベルト構造の実施例について説明する。
図１〜図３は、本発明によるグリップ用ベルト部及びショルダベルトを撮影機器の防水パックに適用した場合の例を示すもので、携帯可能な防水パック本体１１は、カムコーダ等の撮影機器を収納する合成樹脂製の筐体１３とこの筐体１３の前面開口を水密に閉塞する合成樹脂製の蓋部１５を備える。
また、筐体１３の上面には、筐体１３と蓋部１５との接合部１３１，１５１を水密に締め付ける連結金具１７が設けられている。
【００１０】
筐体１３一側面上端には、グリップ用ベルト部とショルダ用ベルト部を構成する合成樹脂製の一本のベルト１９の一端部側が屈曲状態に挿通されるベルト固定部２１が水平に突出して形成されている。
このベルト固定部２１は、図４に示すように、突出方向に３つに区画されたベルト挿通穴２１１を有し、この各ベルト挿通穴２１１にベルト１９の一端部側を、最先端の挿通穴２１１の下方から挿入後２番目の挿通穴２１１に上方から挿通し、さらに３番目の挿通穴２１１の下方から挿通し、蛇行して挿通することにより、長さ調節可能にベルト１９を防水パック本体１１に確実に固定できるようになっている。
【００１１】
筐体１３の一側面下端には、ベルト固定部２１を通して下方に引き出されたベルト１９の一端部１９１側が掛止される第１ベルト掛止部２３が形成されている。
この第１ベルト掛止部２３に、ベルト固定部２１を通して下方に引き出されたベルト１９の一端部１９１側を掛止した後、その先端部１９１Ｂを折り返して、ベルト固定部２１と第１ベルト掛止部２３間に掛け渡されたベルト部分１９１Ａに重ね合わせることによりグリップ用ベルト部２５を形成する。
このグリップ用ベルト部２５の折り返し先端部１９１Ｂは、図５に示すように、掛け渡しベルト部１９１ＡがＳ字状に挿通された日の字状の第１止め具２７にＳ字状に屈曲して差し込むことにより掛け渡しベルト部１９１Ａに結合される。また、この第１止め具２７によってグリップ用ベルト部２５の長さを調整できるようになっている。
【００１２】
グリップ用ベルト部２５には、グリップパット２９が装着されている。
このグリップパット２９は、図２に示すように二つ折り可能に構成されており、この二つ折り部２９１でグリップ用ベルト部２５を挟持した後、二つ折り部２９１に設けたフック２９２を互いに係合することにより、グリップ用ベルト部２５に装着される。
【００１３】
筐体１３の他側面上端には、ベルト１９の他端部側が掛止される第２ベルト掛止部３１が形成されている。
この第２ベルト掛止部３１に、ベルト１９の他端部１９２側を掛止した後、その先端部１９２Ｂを折り返して、ベルト固定部２１と第２ベルト掛止部３１間に掛け渡されたベルト部１９２Ａに重ね合わせることによりショルダ用ベルト部３３が形成される。
このショルダ用ベルト部３３の折り返し先端部１９２Ｂは、図５に示す場合と同様に、掛け渡しベルト部１９２ＡがＳ字状に挿通された日の字状の第２止め具３５にＳ字状に屈曲して差し込むことにより掛け渡しベルト部１９２Ａに結合される。また、この第２止め具３５によってショルダ用ベルト部３３の長さを調整できるようになっている。
【００１４】
このように構成された本実施例においては、一本のベルト１９を用いてグリップ用ベルト部２５とショルダ用ベルト部３３を構成することができ、そして、ショルダ用ベルト部３３を肩に掛けることにより、カムコーダ等の撮影機器を収納した防水パックを持ち運ぶことができる。また、グリップ用ベルト部２５と防水パック本体１１の側面との間に形成される間隙に手を挿入して防水パック本体１１を把持することにより撮影操作を容易に行うことができる。
【００１５】
また、本実施例においては、一本のベルト１９でグリップ用ベルト部２５とショルダ用ベルト部３３を構成することにより、グリップ用及びショルダ用のベルト取付部数が減少し、かつベルト取付部を簡略化でき、防水パックの外観もシンプル化できるとともに、一本のベルト１９をショルダ用ベルトとグリップ用ベルトに共用できるため、ショルダ及びグリップ専用のベルトが不要になり、かつこれらの成形用金型も不要になって、コストを大幅に低減できる。
また、本実施例においては、グリップ用ベルト部２５の折り返しベルト部１９１Ｂの固定、及びショルダ用ベルト部３３の折り返しベルト部１９２Ｂの固定に日の字状の止め具２７及び３５を用いているため、グリップ用ベルト部２５とショルダ用ベルト部３３の長さ調整に制限がなく、利用者に合わせて任意に調節することができる。
さらに、本実施例においては、グリップ用ベルト部２５にグリップパット２９を装着することにより、手との接触性を向上できる。
【００１６】
なお、本発明における止め具２７、３５は、上記実施例に示す日の字状のものに限定されないほか、防水パックに限らず、カムコーダ等にも適用することができる。
また、本発明は上記実施例に記載した構成のものに限定されず、請求項に記載した範囲を逸脱しない限り、種々の変形が可能である。
【００１７】
【発明の効果】
以上説明したように本発明によれば、一本のベルトで撮影機器を収納した防水パックのグリップ用ベルト部とショルダ用ベルト部を構成することができ、かつシンプルで使い勝手のよいグリップ用ベルト部とショルダ用ベルト部を提供できる。
また、本発明においては、複数の挿通穴にベルトを蛇行状態に挿通するという簡単な操作により、グリップ用ベルト部とショルダ用ベルト部間でのベルトの移動を阻止できると共に、グリップ用ベルト部を、ベルト挿通穴の内、最先端にあるベルト挿通穴の下方から挿入して固定することによりグリップ用ベルト部と防水パック本体の側面との間に形成される間隙に手を挿入して防水パック本体を把持することにより収納される撮影機器の撮影操作を容易に行うことができる。
さらに、本発明においては、グリップ用ベルト部にグリップパットを装着することにより、手との接触性を向上できる。
【図面の簡単な説明】
【図１】本発明に係るベルト構造のグリップ用ベルト部とショルダ用ベルト部を防水パックに装着した実施例を示す防水パックの正面図である。
【図２】本実施例におけるグリップ用ベルト部分を拡大して示す要部の斜視図である。
【図３】本実施例におけるショルダ用ベルト部の防水パック本体への取付状態を拡大して示す要部の斜視図である。
【図４】本実施例におけるベルト固定部の拡大断面図である。
【図５】本実施例におけるグリップ用ベルト部の防水パック本体への取付部の拡大断面図である。
【符号の説明】
１１  防水パック本体
１９  ベルト
２１  ベルト固定部
２３  第１ベルト掛止部
２５  グリップ用ベルト部
２７  第１止め具
２９  グリップパット
３１  第２ベルト掛止部
３３  ショルダ用ベルト部
３５  第２止め具
【図１】
0003627283.tif 000002
【図２】
0003627283.tif 000003
【図３】
0003627283.tif 000004
【図４】
0003627283.tif 000005
【図５】
0003627283.tif 000006